(57)【要約】【課題】斜面で効率よく法枠を構築する方法を提供する。【解決手段】斜面の上方から切土して斜面を成形し、切土した土砂を足場として利用する。成形直後の斜面に隣接して複数本のアンカー３を打設する。両端を開口した筒状のパイプを前記各アンカー３の緊張部に外装する。上面から下面へ貫通する貫通孔４３を有し、上下と左右の四方に向けて鉄筋を張り出し、中央部のみをコンクリートブロック体として形成した十字ブロック４を、その貫通孔４３に前記パイプが内挿する様に設置する。隣接する各十字ブロック４の左右方向の鉄筋端の間に追加鉄筋５を組み立て、十字ブロック４の鉄筋と追加鉄筋５を包囲する状態でコンクリートを打設する。【選択図】図１
2013221375.tif 000002
【特許請求の範囲】
【請求項１】
斜面の上方から切土して斜面を成形し、
一定高さの斜面の成形が終わったら、切土した土砂を足場にして、成形直後の斜面に隣接して複数本のアンカーを打設し、
両端を開口した筒状のパイプを前記各アンカーの緊張部に外装して、そのパイプの一部を露出させて地山に埋設し、
上面から下面へ貫通する貫通孔を有し、上下と左右の四方に向けて鉄筋を張り出し、中央部のみをコンクリートブロック体として形成した十字ブロックを、
その貫通孔に前記パイプが内挿する様に仮設し、
前記アンカーを緊張して各十字ブロックを斜面に設置し、
隣接する各十字ブロックの左右方向の鉄筋端の間に追加鉄筋を組み立て、
その後十字ブロックの鉄筋と追加鉄筋を包囲する状態でコンクリートを打設して、
水平方向の一列の枠と、それとはアンカー部で直交する上下枠とを構成する、法枠構築方法。
【発明の詳細な説明】
【技術分野】
【０００１】
本発明は、法枠の構築方法に関するものである。
【背景技術】
【０００２】
本件出願人は特許文献１に記載した技術を実施している。
この工法は、図５に示すように、斜面ａにアンカーｂを打設し、両端を開口した筒状のパイプｃを前記アンカーｂの緊張部に外装して、そのパイプｃの一部を露出させて地山に埋設し、上面から下面へ貫通する貫通孔ｄを有するコンクリートブロック体ｅをその貫通孔ｄに前記パイプｃが内挿する様に仮設し、前記アンカーｂを緊張してコンクリートブロック体ｅを斜面に設置して行うコンクリート法枠構築方法である。
【先行技術文献】
【特許文献】
【０００３】
【特許文献１】特開平５−２９５７４２号公報
【発明の概要】
【発明が解決しようとする課題】
【０００４】
前記した従来の法枠の構築方法にあっては、次のような問題点がある。
＜１＞  特許文献１の図２，３に示してあるように、上から下まで斜面の成形をした後に、パイプの設置や交点ブロックをパイプに取り付ける方法であった。
＜２＞  そのために斜面の上から下まで一度に法枠を連続して完工できるという利点があるが、斜面の中段でアンカー孔を削孔したり、重量のある交点ブロックを斜面の上方まで運搬する、という非効率な作業も必要であった。
【課題を解決するための手段】
【０００５】
上記のような課題を解決するために、本発明の法枠の構築方法は、斜面の上方から切土して成形し、一定高さの斜面の成形が終わったら、切土した土砂を足場にして、成形直後の斜面に隣接して複数本のアンカーを打設し、両端を開口した筒状のパイプを前記各アンカーの緊張部に外装して、そのパイプの一部を露出させて地山に埋設し、上面から下面へ貫通する貫通孔を有し、上下と左右の四方に向けて鉄筋を張り出し、中央部のみをコンクリートブロック体として形成した十字ブロックを、その貫通孔に前記パイプが内挿する様に仮設し、前記アンカーを緊張して各十字ブロックを斜面に設置し、隣接する各十字ブロックの左右方向の鉄筋端の間に追加鉄筋を組み立て、その後十字ブロックの鉄筋と追加鉄筋を包囲する状態でコンクリートを打設して、水平方向の一列の枠と、それとはアンカー部で直交する上下枠とを構成する、法枠構築方法を特徴としたものである。
【発明の効果】
【０００６】
本発明の法枠の構築方法は以上説明したようになるから次のような効果のいくつかを得ることができる。
＜１＞  斜面を上方から切土して、その土を足場としてアンカーの構築を行うことができるから、重量物の扱い、などの作業が効率よく行うことができる。
＜２＞  法枠は、水平方向へ延長する水平枠を、隣接する十字ブロック間を連結して足場と平行に一列に構築し、上下方向には接続しないから、迅速に法枠を構築することができる。
＜３＞  特に斜面の高さが数十メートルに及ぶ場所で法枠を構築する場合には、切土を足場として利用することで大幅な工期の短縮を図ることができる。
【図面の簡単な説明】
【０００７】
【図１】本発明の法枠の構築に使用する十字ブロックの説明図。
【図２】斜面に十字ブロックを配置した状態の説明図。
【図３】十字ブロック間を追加鉄筋で接続した説明図。
【図４】本発明の構築方法の完成図。
【図５】従来の法枠構築方法の説明図。
【発明を実施するための形態】
【０００８】
以下図面を参照にしながら本発明の好適な実施の形態を詳細に説明する。
【実施例】
【０００９】
＜１＞盛土足場の形成
斜面の表面には不陸があるから、法枠の構築前に成形をしなければならない。
そのために、本発明の工法では斜面の上方から徐々に下へ下がりながら切土を行って成形する。
切り出した土砂は、下方に排出するから、一定の高さの切土ができると、ある程度の幅の水平面を備えた盛土足場１を形成することができる。
この盛土足場１より上の面が成形斜面２であり、下が未成形斜面２となる。
【００１０】
＜２＞アンカーの打設
一定高さの斜面の成形が終わったら、切土した土砂の盛土足場１の上に削孔機を設置する。
削孔機で成形直後の成形斜面２に削孔し、内部にＰＣ鋼線を挿入してモルタルで定着させた公知のアンカー３を打設する。
このアンカー３は、ほぼ水平である足場１を利用して、削孔機を足場１上を水平移動させて水平方向に隣接させて複数本を打設する。
その後両端を開口した筒状のパイプを前記各アンカー３の緊張部に外装して、そのパイプの一部を露出させて地山に埋設する。
【００１１】
＜３＞十字ブロック（図１）
十字ブロック４は、略立方体の中央ブロック４１と、その中央ブロック４１の４つの壁面から四方に向けて張り出した接続鉄筋４２とで構成したコンクリート製品である。
この中央ブロック４１の中心には上面から下面へ貫通する貫通孔４３を開口し、アンカー３のパイプの挿入口として構成する。
【００１２】
＜４＞十字ブロックの設置（図２）
この十字ブロック４を、その中央ブロック４１の貫通孔４３に前記パイプが内挿させて斜面に仮設する。
その後、先行して打設したアンカー３を緊張し、その反力を十字ブロック４の中央ブロック４１に取ることによって斜面に固定する。
【００１３】
＜５＞追加鉄筋の組み立て（図３）
成形斜面２に、隣接して複数基の十字ブロック４を固定したら、その左右方向の接続鉄筋４２の端と端の間に追加鉄筋５を組み立てる。
追加鉄筋５とは複数本の主筋の周囲を配力筋で包囲した鉄筋籠のことである。
こうして、複数基の十字ブロック４間は、水平方向にのみ鉄筋が連続した状態で配置することができる。
【００１４】
＜６＞コンクリートの打設（図４）
その後十字ブロック４の鉄筋と追加鉄筋５を包囲する状態でコンクリートを打設する。
このコンクリートは、鉄筋を包囲する状態で吹き付けて、その周囲を鏝で仕上げる。
コンクリートが硬化すると、水平方向の一列の水平枠６と、それとはアンカー３部だけでそれと直交する上下枠６１とを備えた法枠が完成する。
【００１５】
＜７＞切り下げ
水平方向に一列の水平枠６と、それとアンカー３部で直交する上下枠６１の構築が完了したら、それまで利用した盛土足場１は不要である。
そこで盛土足場１を含めて斜面の掘削を行い、上部の成形斜面２と同一の斜面を形成できるように成形する。
そして一定の高さ、すなわち１基の十字ブロック４の設置ができる程度の高さになったら、掘削した土砂を新たな盛土足場１として利用し、一段下の十字ブロック４群の設置を行う。
こうして不整形な斜面の切土を行って成形しつつ、その土砂を足場１として利用してアンカー３の打設、十字ブロック４の設置、コンクリートの打設といった一連の作業を、斜面の上から下まで連続して行うことができる。
このように本発明によれば、斜面の途中での削孔や重量の大きい部材の運搬、設置を盛土足場１を活用して容易に行うことができるものである。
【符号の説明】
【００１６】
１：盛土足場
２：成形斜面
３：アンカー
４：十字ブロック
５：追加鉄筋
６：水平枠
【図１】
2013221375.tif 000003
【図２】
2013221375.tif 000004
【図３】
2013221375.tif 000005
【図４】
2013221375.tif 000006
【図５】
2013221375.tif 000007